(57)【要約】【課題】資源管理情報と整合を確保しながらラック図を管理することが容易にできるようにすること。【解決手段】コンピュータを使用して、ラックに設置されている機器のレイアウトを表示するラック図を自動生成するシステムであって、  資産として管理されているものに関するデータである資産管理データを保管する機能と、  資産管理データを利用して、ラック図を自動生成する機能とを有し、  資産管理データに、ラックに関するデータと、ラックに設置されている機器に関するデータとが含まれることを特徴とするラック図自動生成システム。【選択図】なし【特許請求の範囲】
【請求項１】
コンピュータを使用して、ラックに設置されている機器のレイアウトを表示するラック図を自動生成するシステムであって、
ラックに関するデータと、ラックに設置されている機器に関するデータとを利用して、ラック図を自動生成する機能を有することを特徴とするラック図自動生成システム。
【請求項２】
コンピュータを使用して、ラックに設置されている機器のレイアウトを表示するラック図を自動生成するシステムであって、
資産として管理されているものに関するデータである資産管理データを保管する機能と、
資産管理データを利用して、ラック図を自動生成する機能とを有し、
資産管理データに、ラックに関するデータと、ラックに設置されている機器に関するデータとが含まれることを特徴とするラック図自動生成システム。
【請求項３】
資産管理データが更新されると、この資産管理データを利用して自動生成されたラック図が自動更新される機能を有することを特徴とする請求項２に記載のラック図自動生成システム。
【発明の詳細な説明】
【技術分野】
【０００１】
本発明は、ラック図を作成する技術に関する。
【背景技術】
【０００２】
一般に、コンピュータ機器や通信機器などの各種の機器を複数使用してシステムを構成する場合、これらの機器は、ラックに設置される。そして、これら機器とラックは資産として管理される（例えば、非特許文献１の中の資源管理というアクティビティを参照）。本明細書では、資産として管理されているものに関する情報を、資産管理情報と呼ぶことにする。
【０００３】
また一般に、ラック図が作成される。ラック図は、ラックに設置されている機器のレイアウトを表示する図である。ラック図の例を、図５に示す。
【０００４】
ところで、従来、ラック図は、実際に人が各ラックを調べて作成しており、管理が煩雑であった。また、人手では、ラック図と、資産管理情報との連携を取ることが難しく、不整合が起こっていた。
【非特許文献１】情報処理技術者試験センター、“テクニカルエンジニア（システム管理）スキル標準（主要業務）”、平成１５年８月２６日検索、インターネット＜ＵＲＬ：http://gg.st50.arena.ne.jp/1#17skill/pdf0928/ss-07-2.pdf＞
【発明の開示】
【課題を解決するための手段】
【０００５】
本発明は斯かる背景技術に鑑みてなされたもので、資源管理情報と整合を確保しながらラック図を管理することが容易にできるようにすることを課題とする。
【０００６】
本発明において上記課題を達成するために、まず請求項１の発明では、コンピュータを使用して、ラックに設置されている機器のレイアウトを表示するラック図を自動生成するシステムであって、
ラックに関するデータと、ラックに設置されている機器に関するデータとを利用して、ラック図を自動生成する機能を有することを特徴とするラック図自動生成システムとしたものである。
【０００７】
また請求項２の発明では、コンピュータを使用して、ラックに設置されている機器のレイアウトを表示するラック図を自動生成するシステムであって、
資産として管理されているものに関するデータである資産管理データを保管する機能と、
資産管理データを利用して、ラック図を自動生成する機能とを有し、
資産管理データに、ラックに関するデータと、ラックに設置されている機器に関するデータとが含まれることを特徴とするラック図自動生成システムとしたものである。
【０００８】
また請求項３の発明では、資産管理データが更新されると、この資産管理データを利用して自動生成されたラック図が自動更新される機能を有することを特徴とする請求項２に記載のラック図自動生成システムとしたものである。
【発明の効果】
【０００９】
請求項１の発明は、ラックに関するデータと、ラックに設置されている機器に関するデータとを請求項１の発明に入力するだけで、ラック図が自動生成できるという効果がある
。
【００１０】
請求項２の発明は、請求項２の発明で、資産管理データを保管するだけで、資産管理データと整合性の取れたラック図が自動生成できるという効果がある。
【００１１】
請求項３の発明は、資産管理データを更新すると、ラック図も自動的に更新されるので、資産管理データとラック図とを常に整合性の取れたものとすることができるという効果がある。
【００１２】
以上、本発明は、資源管理情報と整合を確保しながらラック図を管理することが容易にできるようになるという効果がある。
【発明を実施するための最良の形態】
【００１３】
以下に、本発明の最良の一実施形態を説明する。
【００１４】
１．構成
本実施形態では、ラックとして、１９インチラックを用いる。
【００１５】
本実施形態では、コンピュータを利用して、資産管理データを保管し、この資産管理データからラック図データを自動収集して、このラック図データからラック図を自動的に作成する。ここで、データとは、コンピュータで扱う情報のことである。
【００１６】
資産管理データは、図１に示すように、ラックデータと、機器データと、機器詳細データとを含む。資産管理データは、人手により、登録、更新、削除がなされる。
【００１７】
＜ラックデータ＞
ラックデータは、ラックに関するデータである。各ラックのラックデータは、図２に示すような表で、保管される。この表を、便宜上、ラックデータ表と呼ぶことにする。図２に示すラックデータ表の例では、各ラックのラックデータは、識別子、メーカー、型番、大きさ、許容電源容量、許容重量、設置場所、更新日などの項目についてのデータで構成されている。以下に、これらの項目を説明する。
【００１８】
識別子は、各ラックを識別するために付けた符号である。
【００１９】
メーカーは、ラックの製造業者である。
【００２０】
型番は、ラックの種類を識別するためにメーカで付けた符号である。
【００２１】
大きさは、ラックの大きさを、Ｈ（高さ）、Ｗ（幅）、Ｄ（奥行き）、Ｕ（機器を設置可能なユニット数）で表したものである。
【００２２】
許容電源容量は、ラックに設置されている機器に、ラックから供給することが許容される電源の総容量である。
【００２３】
許容重量は、ラックに設置することが許容される機器の総重量である。
【００２４】
設置場所は、ラックが設置されている場所である。
【００２５】
更新日は、ラック或は、ラックに設置してある機器に変更が生じたことにより、ラック或は機器に関するデータを更新した日である。
【００２６】
＜機器データ＞
機器データは、機器に関するデータの内、この機器のラックへの設置とは無関係なデータである。各機器の機器データは、図３に示すような表で、保管される。この表を、便宜上、機器データ表と呼ぶことにする。図３に示す機器データ表の例では、各機器の機器データは、メーカー、型番、機器名、大きさ、重さ、電源容量、発熱量、前面イメージなどの項目についてのデータで構成される。以下に、これらの項目を説明する。
【００２７】
メーカーは、機器の製造業者である。
【００２８】
型番は、機器の種類を識別するためにメーカで付けた符号である。
【００２９】
機器名は、メーカーで付けた機器の名称である。
【００３０】
大きさは、機器の大きさを、Ｕ（ユニット）単位、すなわち１９インチラックに設置するときに占有するユニット数で表したものである。
【００３１】
重さは、機器の重さである。
【００３２】
電源容量は、機器が消費する電源の容量である。
【００３３】
発熱量は、機器から発せられる熱量である。
【００３４】
前面イメージは、機器の前面の画像である。
【００３５】
＜機器詳細データ＞
機器詳細データは、機器に関するデータの内、この機器のラックへの設置と関係するデータである。各機器の機器詳細データは、図４に示すような表で、保管される。この表を、便宜上、機器詳細データ表と呼ぶことにする。図４に示す機器詳細データ表の例では、各機器の機器詳細データは、設置ラック位置、メーカー、型番、ＯＳ・バージョン、ネットワーク情報、管理者、購入区分などの項目についてのデータで構成される。以下に、これらの項目を説明する。
【００３６】
設置ラック位置は、機器が設置されているラックにおける位置であって、ラック識別子と底面ラック位置から構成される。ラック識別子は、機器の設置されているラックの識別子である。底面ラック位置は、機器の底面の高さを、Ｕ単位で表したもの、すなわち、機器の底面が位置するユニットの下から数えた番号である。
【００３７】
メーカーは、機器の製造業者である。
【００３８】
型番は、機器の種類を識別するためにメーカで付けた符号である。
【００３９】
ＯＳ・バージョンは、機器が利用しているＯＳとそのバージョンである。
【００４０】
ネットワーク情報は、機器の接続しているネットワークに関するデータであって、例えば、ＭＡＣアドレスと、ＩＰアドレスと、ＶＬＡＮ番号とから構成される。ＭＡＣアドレスは、機器に装着されているＥｔｈｅｒｎｅｔ（登録商標）カードに固有のＩＤ番号である。ＩＰアドレスは、機器のＬＡＮにおけるＩＰアドレスである。ＶＬＡＮ番号は、機器の属するＶＬＡＮにおけるグループの番号である。
【００４１】
管理者は、機器を管理する者である。
【００４２】
購入区分は、財務会計上、機器は、固定資産、或はリース、又はレンタルの何れで扱われているのかを示す。
【００４３】
＜ラック図データ＞
ラック図データは、ラック図に表示されるラックと、このラックに設置されている機器に関するデータであって、ラックデータ表、機器詳細データ表、機器データ表から自動収集されるものである。
【００４４】
＜ラック図＞
ラック図は、ラックに設置されている機器のレイアウトを表示する図であって、ラック図データから自動作成されるものである。ラック図の例を、図５に示す。
【００４５】
図５のラック図では、ラックに設置されている機器に関するデータを、項目毎に、この機器が占めるユニット（Ｕ）に対応する場所に配置する表で、ラックに設置している機器のレイアウトを表示している。
【００４６】
図５のラック図で、設置機器という項目は、ラックに設置されている機器の前面イメージを表している。
【００４７】
図５のラック図で、電源（Ａ）という項目は、ラックに設置されている機器の電源容量を表している。そして、ラックに設置されている機器の電源容量の合計を、ラックの許容電源容量以内であれば黒色で、ラックの許容電源容量より大きければ赤色で、電源（Ａ）という項目の下の方に表示している。
【００４８】
図５のラック図で、重量（Ｋｇ）という項目は、ラックに設置されている機器の重さを表している。そして、ラックに設置されている機器の重さの合計を、ラックの許容重量以内であれば黒色で、ラックの許容重量より大きければ赤色で、重量（Ｋｇ）という項目の下の方に表示している。
【００４９】
図５のラック図では、図の上の方に、ラックに関するデータも、項目毎に、表示されている。
【００５０】
２．処理
以下に、コンピュータが新規にラック図を自動生成する処理フローの例を、図６に示すラック図自動生成フローチャートに従って、説明する。
【００５１】
Ｓ（ＳＴＥＰ）１；
コンピュータは、ラック図として表示したいラックの識別子を、人に入力させる。
【００５２】
Ｓ（ＳＴＥＰ）２；
コンピュータは、ラックデータ表に、入力された識別子が有るか無いかを確かめ、
有る場合、ＳＴＥＰ３に進み、
無い場合、ＳＴＥＰ１に戻る。
【００５３】
Ｓ（ＳＴＥＰ）３；
コンピュータは、後述のラック図データ収集フローを実行することにより、入力された識別子で識別されるラックについてのラック図データを、資源管理データから収集する。
【００５４】
Ｓ（ＳＴＥＰ）４；
コンピュータは、後述のラック図作成フローを実行することにより、ラック図データを元にして、ラック図を作成し、ＥＮＤに進む。
【００５５】
以下に、上記ＳＴＥＰ３でコンピュータが実行するラック図データ収集フローの例を、図７のフローチャートに従って、説明する。
【００５６】
Ｓ（ＳＴＥＰ）３０１；
コンピュータは、ラックデータ表から、入力された識別子で識別されるラックに関するデータを取得する。そして、このラックに関するデータで、入力された識別子で識別されるラックについてのラック図データを構成する。
【００５７】
Ｓ（ＳＴＥＰ）３０２；
コンピュータは、Ｎを１とする。
【００５８】
Ｓ（ＳＴＥＰ）３０３；
コンピュータは、機器詳細データ表を参照することにより、入力された識別子で識別されるラックの下からＮ番目のユニットに、機器の底面が設置されているか否かを確かめ、
設置されている場合、ＳＴＥＰ３０４に進み、
設置されていない場合、ＳＴＥＰ３０９に進む。
【００５９】
Ｓ（ＳＴＥＰ）３０４；
コンピュータは、入力された識別子で識別されるラックの下からＮ番目のユニットに、底面が設置されている機器に関するデータの内、機器詳細データ表に保管されているものを取得する。
【００６０】
Ｓ（ＳＴＥＰ）３０５；
コンピュータは、機器詳細データ表から取得されたデータの中にあるメーカーと型番によって、入力された識別子で識別されるラックの下からＮ番目のユニットに、底面が設置されている機器に関するデータの内、機器データ表に保管されているものを取得する。
【００６１】
Ｓ（ＳＴＥＰ）３０６；
コンピュータは、取得された機器に関するデータを、ラック図データに追加する。
【００６２】
Ｓ（ＳＴＥＰ）３０７；
コンピュータは、ラック図データを参照することにより、ラックの下からＮ番目のユニットに、底面が設置されている機器の大きさ分のユニット数だけ、Ｎを増やす。
【００６３】
Ｓ（ＳＴＥＰ）３０８；
コンピュータは、ラック図データを参照することにより、ラックの大きさをＵ単位で表したものが、Ｎよりも小さいか否か確かめ、
小さい場合、ＥＮＤに進み、
等しいか大きい場合、ＳＴＥＰ３０３に戻る。
【００６４】
Ｓ（ＳＴＥＰ）３０９；
コンピュータは、Ｎを１だけ増やし、ＳＴＥＰ３０８に戻る。
【００６５】
以下に、上記ＳＴＥＰ４でコンピュータが実行するラック図作成フローの例を、図８のフローチャートに従って、説明する。
【００６６】
Ｓ（ＳＴＥＰ）４０１；
コンピュータは、Ｎを１とする。
【００６７】
Ｓ（ＳＴＥＰ）４０２；
コンピュータは、ラック図データを参照することにより、ラックの下からＮ番目のユニットに、機器の底面が設置されているか否かを確かめ、
設置されている場合、ＳＴＥＰ４０３に進み、
設置されていない場合、ＳＴＥＰ４０６に進む。
【００６８】
Ｓ（ＳＴＥＰ）４０３；
コンピュータは、ラック図データを元にして、ラックの下からＮ番目のユニットに底面が設置されている機器のレイアウトを表示する。
【００６９】
Ｓ（ＳＴＥＰ）４０４；
コンピュータは、ラック図データを参照することにより、ラックの下からＮ番目のユニットに、底面が設置されている機器の大きさ分のユニット数をだけ、Ｎを増やす。
【００７０】
Ｓ（ＳＴＥＰ）４０５；
コンピュータは、ラック図データを参照することにより、ラックの大きさをＵ単位で表したものが、Ｎよりも小さいか否か確かめ、
小さい場合、ＳＴＥＰ４０７に進み、
等しいか大きい場合、ＳＴＥＰ４０２に戻る。
【００７１】
Ｓ（ＳＴＥＰ）４０６；
コンピュータは、Ｎを１だけ増やし、ＳＴＥＰ４０５に戻る。
【００７２】
Ｓ（ＳＴＥＰ）４０７；
コンピュータは、ラック図データを参照することにより、ラックに設置された機器の電源や重さなど、その合計に許容値のあるものについて、合計値を計算する。
【００７３】
Ｓ（ＳＴＥＰ）４０８；
コンピュータは、ラック図データを参照することにより、ラックに設置された機器の電源や重さなどの合計値が、許容値を超過しているか否かを確かめ、
許容値以内である場合、ＳＴＥＰ４０９に進み、
許容値を超過している場合、ＳＴＥＰ４１０に進む。
【００７４】
Ｓ（ＳＴＥＰ）４０９；
電源、重さなどの合計値を、黒色で表示し、ＥＮＤに進む。
【００７５】
Ｓ（ＳＴＥＰ）４１０；
電源、重さなどの合計値を、赤色で表示し、ＥＮＤに進む。
【００７６】
３．ラック図の自動更新
ラック或は機器等の資産に変更が生じると、この変更を反映するように、人手で資産管理データを更新する。この更新がなされたとき、変更が生じたラック或は機器等の資産に関するデータを表示しているラック図も、この変更を反映するように、自動更新がなされても良い。
【図面の簡単な説明】
【００７７】
【図１】本実施形態のデータ構成を説明する図。
【図２】ラックデータ表の例を示す図。
【図３】機器データ表の例を示す図。
【図４】機器詳細データ表の例を示す図。
【図５】ラック図の例を示す図。
【図６】コンピュータが新規にラック図を自動生成する処理フローの例を説明するラック図自動生成フローチャート。
【図７】ラック図データ収集フローの例を説明するフローチャート。
【図８】ラック図作成フローの例を説明するフローチャート。
【図１】
2005084773.tif 000002
【図２】
2005084773.tif 000003
【図３】
2005084773.tif 000004
【図４】
2005084773.tif 000005
【図５】
2005084773.tif 000006
【図６】
2005084773.tif 000007
【図７】
2005084773.tif 000008
【図８】
2005084773.tif 000009